(57)【要約】【課題】従来よりも効率良く保護フィルムを裁断できる保護フィルム裁断装置を実現する。【解決手段】保護フィルム裁断装置（１）は、パネル（５０）が置かれる置台（３１）と、パネル（５０）から剥がされた、保護フィルム（６０）の不要部分が置かれる裁断台（１５）と、を備えている。置台（３１）の設置面は傾斜しており、設置面の下端は、裁断台（１５）の下に位置するか、裁断台（１５）の下に位置し得るようになっている。【選択図】図１
2014144509.tif 000002
【特許請求の範囲】
【請求項１】
保護フィルムを裁断する保護フィルム裁断装置において、
上記保護フィルムが貼られたパネルが置かれる置台と、
上記パネルから剥がされた、上記保護フィルムの一部が置かれる裁断台と、を備え、
上記置台の設置面は傾斜しており、
上記裁断台の高さが上記置台の設置面の上端と下端との間に位置しているか、または、上記裁断台の高さが上記置台の設置面の上端と下端との間に位置するように置台または裁断台を移動できるように構成されている、ことを特徴とする、保護フィルム裁断装置。
【請求項２】
上記置台の設置面の中心部が、上記裁断台の上記保護フィルムの一部が置かれる設置面と同じ高さにあるか、または、当該設置面よりも高い位置にある、ことを特徴とする、請求項１に記載の保護フィルム裁断装置。
【請求項３】
上記裁断台には、上記保護フィルムの上記一部が置かれる設置面側の表面から上記裁断台の下方に通じる開口部が形成されている、ことを特徴とする、請求項１または２に記載の保護フィルム裁断装置。
【請求項４】
上記保護フィルム裁断装置は上記保護フィルムを裁断するロータリーカッターを備えており、
上記ロータリーカッターにより上記保護フィルムから裁断されつつある上記保護フィルムの不要部分を上記開口部に導くガイド部を備えている、ことを特徴とする、請求項３に記載の保護フィルム裁断装置。
【請求項５】
上記裁断台の設置面よりも上記裁断台の当該設置面側の表面の一部が低い位置にあり、
上記ガイド部のうち上記不要部分が接触するガイド面は、上記ロータリーカッター側では略水平な面になっていて上記開口部側では略垂直な面になっているような湾曲面であり、
上記略水平な面は上記低い位置にある、ことを特徴とする、請求項４に記載の保護フィルム裁断装置。
【発明の詳細な説明】
【技術分野】
【０００１】
本発明は、液晶ディスプレイや有機ＥＬ等の表示パネルに貼られた保護フィルムを裁断する保護フィルム裁断装置に関するものである。
【背景技術】
【０００２】
表示パネルの普及に伴い、表示パネルに貼る保護フィルムに関する様々な技術が提案されている。
【０００３】
図７に示すように、特許文献１の技術では、有効エリアＡを有し、有効エリアの外側部分に部材ないし部品が組み込まれるパネル部材２０の一面あるいは両面に保護フィルム２１、２２が剥離可能にラミネートされる。この保護フィルムには、有効エリアの外側に対応する位置に切断用ミシン目１００が形成され、部材ないし部品９０、９１の組み込み時には、保護フィルムがミシン目に沿って切断され、有効エリアの外側の保護フィルムが剥離される。
【先行技術文献】
【特許文献】
【０００４】
【特許文献１】特開平１０−３０７６８８号公報（１９９８年１１月１７日公開）
【発明の概要】
【発明が解決しようとする課題】
【０００５】
しかしながら、上記従来の構成では、スマートフォンのような小型パネルの場合、ミシン目に沿ってフィルムの不要部分をパネルから剥離するために不要部分を持ち上げて引っ張ると、フィルム全体が剥がれたりずれたりしてしまう。このため、フィルム全体のうち不要部分を除く残りの部分をパネルに貼り直す必要があった。
【０００６】
また、フィルムの不要部分だけをミシン目に沿って剥離するためにはフィルムの残りの部分を押さえる必要がある。フィルムの残りの部分を指で押さえた場合、指によりパネルの一部に圧力がかかって、パネルが厚み変化による表示不具合を起こすことがあった。したがって、上記従来の構成を用いてフィルムの不要部分を剥離する場合には、フィルムを押さえる力を加減しなければならない。
【０００７】
以上のように、上記従来の構成では、フィルムの不要部分を効率良くパネルから剥離することができるとは言えない。
【０００８】
本発明は上記課題に鑑みて成されたものであり、その主な目的は、従来よりも効率良く保護フィルムを裁断できる保護フィルム裁断装置を提供することを目的とする。
【課題を解決するための手段】
【０００９】
本発明の一態様に係る保護フィルム裁断装置は、保護フィルムを裁断する保護フィルム裁断装置において、上記保護フィルムが貼られたパネルが置かれる置台と、上記パネルから剥がされた、上記保護フィルムの一部が置かれる裁断台と、を備え、上記置台の設置面は傾斜しており、上記裁断台の高さが上記置台の設置面の上端と下端との間に位置しているか、または、上記裁断台の高さが上記置台の設置面の上端と下端との間に位置するように置台または裁断台を移動できるように構成されている、ことを特徴としている。
【発明の効果】
【００１０】
本発明の一態様によれば、従来よりも効率良く保護フィルムを裁断できる保護フィルム裁断装置を実現できる。
【図面の簡単な説明】
【００１１】
【図１】本発明の実施形態１に係る保護フィルム裁断装置の要部構成を示した図である。
【図２】本発明の実施形態２に係る保護フィルム裁断装置の要部構成を示した図である。
【図３】図２の保護フィルム裁断装置においてフィルムの不要部分がどのように剥離されるかを示した図である。
【図４】図２の保護フィルム裁断装置のカッター固定部に取り付けられたガイドを詳細に示した斜視図である。
【図５】本発明の実施形態３に係る保護フィルム裁断装置の要部構成を示した図である。
【図６】図５の保護フィルム裁断装置においてフィルムの不要部分がどのように剥離されるかを示した図である。
【図７】従来技術においてフィルムの不要部分がどのように剥離されるかを示した図である。
【発明を実施するための形態】
【００１２】
〔実施形態１〕
本発明の一実施形態に係る保護フィルム裁断装置について図面を参照しながら以下に説明する。
【００１３】
スマートフォン等の端末が備える液晶パネルの生産工程において、液晶パネルの端部に制御用の端子を取り付けるためには液晶パネルに貼られている保護フィルム（ラミネートフィルム）の不要部分（液晶パネルの端部を覆う、保護フィルムの下端）を液晶パネルから剥離することが必要である。本実施形態に係る保護フィルム裁断装置は、保護フィルムの不要部分を液晶パネルから剥離するために用いられる。
【００１４】
保護フィルム裁断装置の要部構成について説明する。図１は、本実施形態に係る保護フィルム裁断装置１の要部構成を示した図である。
【００１５】
図１に示すように、保護フィルム裁断装置１は、液晶パネル５０を置くための置台３１および裁断部１０を備えている。置台３１の液晶パネル５０が置かれる矩形の設置面は、その長手方向が傾斜している。また、押し切り式のカッター１４を搭載した裁断部１０は、前述の設置面の２つの短辺のうち低い側に位置する短辺側（すなわち、置き台３１の設置面の下端側）に設置されている。すなわち、置台３１の設置面は、裁断部１０（裁断台１５）が設置面の後方側ではなく設置面の前方側に位置するように傾斜している。また、置台３１の設置面の短辺とカッター１４の裁断ラインとは略平行になっている。
【００１６】
裁断部１０は、カッター１４の他、レバー１１、カッター移動レール１２および裁断台１５を備えている。裁断台１５には、保護フィルム６０の下端が、裁断台１５の設置面と平行になるように設置される。また、レバー１１を操作すると、裁断ラインに刃が入るようにカッター１４がカッター移動レール１２に沿って（すなわち、裁断台１５の設置面の鉛直方向に沿って）移動する。
【００１７】
また、置台３１は、直線状の移動レール３２の上に設置されているため、置台移動レール３２に沿って、裁断部１０に近づく方向、または、裁断部１０から遠ざかる方向に直線的に移動可能になっている。置台移動レール３２の一部は裁断台１５の下方（真下）に位置しており、置台３１を裁断部１０側に最も近づけた場合には、置台３１の設置面の下端が裁断台１５の下方（真下）に位置することになる。また、置台移動レール３２の裁断部１０側の端部にはストッパー３３が設けられており、置台３１を裁断部１０側に最も近づけた場合には置台３１がその位置に固定される。なお、置台３１の設置面の中心部は、裁断台１５の設置面と同じ高さにあるか、裁断台１５の設置面よりも高い位置にある。
【００１８】
次に、保護フィルム裁断装置１を用いた保護フィルム６０の不要部分の裁断方法について説明する。
【００１９】
最初に、置台３１を裁断部１０から遠ざけた状態で、保護フィルム６０の不要部分が置台３１の下端側に位置するように、保護フィルム６０が付された液晶パネル５０を置台３１の上に設置する。次に、置台３１を裁断部１０に最も近づけて、置台３１の位置を固定させる。そして、保護フィルム６０の一部分（不要部分を含む一部分）を液晶パネル５０から剥離して、保護フィルム６０の不要部分を裁断台１５の上に貼り付ける。
【００２０】
この状態において、保護フィルム６０の不要部分の基準位置からの高さｌは、保護フィルム６０の中央部分の基準位置からの高さＬ以下になっている。ここで、保護フィルム６０の中央部分とは、保護フィルム６０の縦方向の長さの２分の１だけ保護フィルム６０の上端から保護フィルム６０の縦方向に沿って離れた位置のことである。
【００２１】
このように、カッター１４と液晶パネル５０との距離を非常に近くすることで、保護フィルム６０の半分以上が液晶パネル５０に貼られた状態を維持しながら、保護フィルム６０の不要部分をカッター１４で裁断できる。
【００２２】
保護フィルム６０の不要部分の裁断後、剥離していた保護フィルム６０の一部分のうち不要部分を除く残りの部分を再度液晶パネル５０に付着させる。なお、保護フィルム６０の半分以上が液晶パネル５０に貼られた状態を維持しているため、この残りの部分の面積は非常に小さい。さらに、面積が非常に小さいためにこの残りの部分の粘着面にはゴミ等が付着する危険性は低くなる。したがって、この残りの部分は、汚れおよび位置ずれを生じることなく液晶パネル５０にきれいに付着させることができる。
【００２３】
また、保護フィルム裁断装置１では、保護フィルム６０の不要部分が裁断台１５の設置面と平行になっており保護フィルム６０が裁断台１５から浮き上がらないため、裁断ラインが本来の位置からずれてしまうという失敗が抑制される。また、カッター１４の刃は保護フィルム６０に直角に当たるため、ユーザは、カッター１４に荷重を加えなくても容易に保護フィルム６０を裁断できる。
【００２４】
〔実施形態２〕
本発明の他の実施形態について図２〜図４を参照しながら説明する。図２は、本実施形態に係る保護フィルム裁断装置１Ａの要部構成を示した図である。図２において、（ｂ）は（ａ）の保護フィルム裁断装置１Ａの主要部分を詳細に示した斜視図であり、（ｃ）は上記主要部分の側面の外観を示す外観図である。また、図３は、保護フィルム裁断装置１Ａにおいて保護フィルム６０の不要部分がどのように剥離されるかを示した図である。図４は、保護フィルム裁断装置１Ａのカッター固定部１３に固定されたガイド１３１を詳細に示した斜視図である。なお、説明の便宜上、実施形態１で説明した部材と同じ機能を有する部材については同じ符号を付し、その説明を省略する。
【００２５】
実施形態１では、保護フィルム６０を裁断するためにカッター１４を裁断台１５の設置面の鉛直方向に沿って移動させていた。本実施形態では、円形型のカッター１４Ａ（ロータリーカッター）がカッター固定部１３に装着されており、保護フィルム６０の裁断ラインに沿ってカッター１４Ａ（カッター固定部１３）を右側から左側に移動させることで、保護フィルム６０を裁断するようになっている。
【００２６】
また、本実施形態では、裁断台１５Ａの設置面側の表面には段差が設けられており、段差の高い部分（設置面）には保護フィルム６０の不要部分が貼り付けられるようになっている。また、段差の低い部分１５１には、裁断により保護フィルム６０の必要部分（裁断工程後にパネル５０に貼られているべき部分）から分離される不要部分を裁断台１５Ａから下に落とすための開口部１５２が設けられている。なお、図２（ｂ）に示すように、開口部１５２は、段差の低い部分１５１のうち裁断台１５Ａの奥側（段差の低い部分１５１の中で置台３１からより遠い位置）に形成されている。
【００２７】
また、カッター１４Ａの刃を固定支持するカッター固定部１３にはガイド１３１が取り付けられている。ガイド１３１は、裁断により保護フィルム６０の必要部分から切り離されつつある保護フィルム６０の不要部分を開口部１５２に導くものであり、カッター１４Ａのすぐ右側に設けられている。
【００２８】
ガイドの具体的な形状について図２〜図４を参照して説明する。
【００２９】
図２（ｂ）および図３からわかるように、ガイド１３１のうち保護フィルム６０の不要部分が接触するガイド面は、カッター１４Ａ側では略水平な面になっていて開口部１５２側では略垂直な面になっているような湾曲面になっている。また、ガイド１３１の底部、および、ガイド１３１のガイド面のうちカッター１４Ａ側の略水平な面は、図２（ｃ）からわかるように、裁断台１５Ａの設置面（設置面に貼られる、保護フィルム６０の不要部分の位置）よりも低い位置にある。
【００３０】
したがって、カッター１４Ａを右端から左端に移動させて保護フィルム６０を裁断する過程の中でカッター１４Ａが右端付近にある時は、保護フィルム６０の必要部分から分離されつつある不要部分（帯状の不要フィルム）の先端がガイド面の略水平な面に載ることになる。そして、カッター１４Ａを右端付近から左側に徐々に移動させるに伴い、図４に示すように、湾曲面に沿って少しずつ持ち上げられた帯状の不要フィルム６０Ａの先端が、ガイド面の略垂直な面の付近（開口部１５２の近傍）に到達することになる。
【００３１】
さらにカッター１４Ａを左側に移動させると、帯状の不要フィルムの先端は開口部１５２に導かれ、カッター１４Ａが左端付近まで到達した時には不要フィルムの大部分が開口部１５２の下方に移動することになる。
【００３２】
このため、保護フィルム６０の裁断が完了すると、保護フィルム６０の必要部分から分離された不要フィルムは裁断台１５Ａから落ちることになる。
【００３３】
以上のように、本実施形態に係る保護フィルム裁断装置１Ａには、次の保護フィルム６０の裁断を開始する前に、裁断済の保護フィルム６０の不要フィルムを裁断台１５Ａから取り除く必要がないという利点がある。また、保護フィルム裁断装置１Ａのカッター１４Ａはロータリーカッターであるため、裁断時に保護フィルム６０に過度の力が加わらないという利点がある。
【００３４】
（実施形態２の付記事項）
実施形態２では、ガイド１３１をカッター１４Ａの右側に取り付けることで、カッター１４Ａを右端から左端へ動かして保護フィルム６０を裁断することによる生じる不要フィルムを効率的に取り除くことができるようにしたが、本発明はこれに限定されない。
【００３５】
すなわち、カッター固定部１３にガイド１３１を取り付けるための位置調整器具（ヒンジやレール等、図示せず）を設けてもよい。具体的には、カッター１４Ａの左側にガイド１３１の高さを調整可能な位置調整器具を設けてもよい。そして、高さを調整した上で位置調整器具に固定可能な構造のガイド１３１をカッター１４Ａの左側に取り付けてもよい。
【００３６】
この場合、保護フィルム６０の裁断時は、ガイド１３１が保護フィルム６０と接触しないようにガイド１３１を高い位置に固定した上で、カッター１４Ａを右端から左端へ動かすことにより保護フィルム６０を裁断すればよい。そして、裁断後には、ガイド１３１が不要フィルムと接触するようにガイド１３１を低い位置に固定した上で、カッター１４Ａを元の位置に（すなわち、右端から左端に）戻すことにより、不要フィルムをガイド１３１で取り除けばよい。
【００３７】
また、ガイド１３１をカッター固定部１３の両側に取り付けてもよい。この場合は、右端から左端にカッター１４Ａを動かした場合にも左端から右端にカッター１４Ａを動かした場合にも、不要フィルムが開口部１５２に導かれる。したがって、多数の保護フィルム６０を裁断する場合にも、保護フィルム６０を１枚裁断する度にカッター１４Ａを元の位置に戻す必要がなく、より効率の良い連続裁断が可能となる。
【００３８】
なお、設置台１５に形成された開口部１５２の真下には、不要フィルム収納部（例えば、不要フィルムを収納する箱、図示せず）が設けられていてもよい。
【００３９】
〔実施形態３〕
本発明のさらに別の実施形態について図５、図６を参照しながら説明する。図５は、本実施形態に係る保護フィルム裁断装置１Ｂの要部構成を示した図である。図６は、保護フィルム裁断装置１Ｂにおいて保護フィルム６０の不要部分がどのように剥離されるかを示した図である。また、図６において、（ｂ）は（ａ）の保護フィルム裁断装置１Ｂの主要部分を詳細に示した斜視図である。なお、説明の便宜上、実施形態２で説明した部材と同じ機能を有する部材については同じ符号を付し、その説明を省略する。
【００４０】
図５に示すように、本実施形態に係る保護フィルム裁断装置１Ｂは、帯電防止処理が施されていない裁断台１５Ａではなく、帯電防止処理が施された裁断台１５Ｂを備えている。具体的には、裁断台１５Ｂの表面に、表面に帯電防止処理を施したＰＩテープ（ポリイミドテープ）が貼り付けられている。実施形態２における裁断台１５Ａは全体が樹脂材で出来ており、カッター１４Ａを動かすことにより摩擦で帯電しやすいが、裁断台１５Ｂは、帯電防止処理を施した裁断台であるため、静電気が発生しにくい。このため、裁断後の不要フィルムが裁断台１５Ｂに付着せず、容易に不要フィルムを裁断台１５Ｂから取り除くことができる。
【００４１】
なお、図５および図６からわかるように、裁断台の表面に帯電防止処理が施されている点を除き、保護フィルム裁断装置１Ｂは、保護フィルム裁断装置１Ａと略同様の構成を有している。
【００４２】
また、裁断台１５Ｂの表面には、帯電防止処理として、帯電防止フィルムが貼られていてもよいし、帯電防止剤が塗布されていてもよい。また、裁断台１５Ｂは、帯電防止加工を施して製造されたものであってもよい。例えば、裁断台１５Ｂの主要材料である樹脂材に帯電防止剤が添加または混練されていてもよい。
【００４３】
なお、本実施形態では裁断ラインが本来の位置からずれてしまわないように、裁断前に裁断台１５Ｂの設置面にある保護フィルム６０の不要部分を設置面にテープで固定してもよい。パネル５０に裁断後に再付着させる部分ではなく不要部分をテープで固定する理由は、再付着させる部分の粘着面と設置台１５Ｂの設置面とがなるべく接触しないようにすることで粘着面の粘着力が弱らないようにするためである。
【００４４】
〔付記事項１〕
実施形態１〜３の各保護フィルム裁断装置は、置台移動レール３２に沿って置台３１を移動できるように構成されていたが、置台移動レール３２は必須ではない。すなわち、保護フィルム裁断装置は、置台３１が保護フィルム裁断装置内で移動できないように構成されていてもよい。この場合、置台３１の設置面の下端が裁断台１５の下に位置していればよい。
【００４５】
また、置台３１の設置面の形状は特に限定されない。例えば、設置面は、縦長のパネル（主に、スマートフォン用のパネル）を置くのに適した長手方向が傾斜した矩形または角丸矩形の設置面であってもよい。また、設置面は、横長のパネル（主にパーソナルコンピュータ用のパネル）を置くのに適した短手方向が傾斜した矩形または角丸矩形の設置面であってもよい。あるいは、設置面の形状は、その他の種類の形状であってもよい。
【００４６】
置台３１の設置面の傾斜の大きさは特に限定されない。ただし、傾斜を大きくする場合には置台３１の設置面に滑り止め加工を施すことが望ましい。
【００４７】
〔付記事項２〕
置台３１は、置台３１の高さを調整できるように構成されていてもよい。具体的には、置台３１の設置面の下端が裁断台１５よりも高い位置にある場合、または、置台３１の設置面の上端が裁断台１５の設置面よりも低い位置にある場合に、置台３１の高さを調整できるようになっていてもよい。より具体的には、置台３１の設置面の上端が裁断台１５の設置面よりも高く、且つ、置台３１の設置面の下端が裁断台１５の設置面よりも低くなるように、置台３１の高さ（すなわち、置台３１の設置面の上端の高さ）を調整できるようになっていてもよい。
【００４８】
あるいは、裁断台１５は、裁断台１５の高さを調整できるように構成されていてもよい。具体的には、裁断台１５の水平な設置面が置台３１の設置面の下端よりも低い位置にある場合、または、裁断台１５の水平な設置面が置台３１の設置面の上端よりも高い位置にある場合に、裁断台１５の高さを調整できるようになっていてもよい。より具体的には、置台３１の設置面の上端が裁断台１５よりも高く、且つ、置台３１の設置面の下端が裁断台１５よりも低くなるように、裁断台１５の高さ（すなわち、裁断台１５の設置面の高さ）を調整できるようになっていてもよい。
【００４９】
（各実施形態に係る保護フィルム裁断装置の利点）
以上のように、保護フィルム裁断装置は、保護フィルム６０が貼られたパネル５０が置かれる置台３１と、パネル５０から剥がされた、保護フィルム６０の不要部分が置かれる裁断台と、を備え、置台３１の設置面は傾斜しており、設置面の下端が裁断台の下に位置しているか、または、設置面の下端が裁断台の下に位置するように置台３１を移動できるように構成されている。
【００５０】
上記の構成により、各実施形態に係る保護フィルム裁断装置を用いる場合、手作業によるフィルムの張り替えや裁断よりも短時間で作業でき、フィルム自体にミシン目を入れる加工も必要としない。
【００５１】
また、各実施形態に係る保護フィルム裁断装置は、構造が単純であり、裁断作業の自動化も容易に実現できるようになっている。したがって、各実施形態に係る保護フィルム裁断装置を用いることで、生産コストの低下、および、タクトの短縮を実現できる。
【００５２】
（まとめ）
本発明の第１態様に係る保護フィルム裁断装置（保護フィルム裁断装置１、１Ａ、１Ｂ）は、保護フィルム（保護フィルム６０）を裁断する保護フィルム裁断装置において、上記保護フィルムが貼られたパネル（パネル５０）が置かれる置台（置台３１）と、上記パネルから剥がされた、上記保護フィルムの一部が置かれる裁断台（裁断台１５、１５Ａ、１５Ｂ）と、を備え、上記置台の設置面は傾斜しており、上記裁断台の高さが上記置台の設置面の上端と下端の間に位置しているか、または、上記裁断台の高さが上記置台の設置面の上端と下端の間に位置するように置台または裁断台を移動できるように構成されている、ことを特徴としている。
【００５３】
上記の構成によれば、保護フィルムの不要部分が設置面の下端に位置するように、保護フィルムが貼られたパネルを置台の設置面に置くことができる。
【００５４】
パネルを置台に置いた後、保護フィルムの必要部分から不要部分を分離するためには、保護フィルムの一部をパネルから剥がして不要部分を裁断台の上に設置する。これに関し、
傾斜している上記置台の設置面の下端を上記裁断台の下に位置させることができるように上記保護フィルム裁断装置が構成されている場合には、置台に置かれたパネルと裁断台との間の距離は近くなるので、保護フィルムのうちのある程度の部分がパネルに貼りついたままの状態で保護フィルムの不要部分を裁断できる。したがって、フィルム全体がパネルから剥がれたり、フィルム全体がパネルから剥がれないよう裁断時にパネルを押さえたりすることなく、保護フィルムの不要部分を裁断できる。
【００５５】
これにより、上記保護フィルム裁断装置は、従来よりも効率良く保護フィルムを裁断できるという効果を奏する。
【００５６】
本発明の第２態様に係る保護フィルム裁断装置は、第１態様において、上記置台の設置面の中心部が、上記裁断台の上記保護フィルムの一部が置かれる設置面と同じ高さにあるか、または、当該設置面よりも高い位置にあることが望ましい。
【００５７】
上記の構成によれば、保護フィルムの大部分がパネルに貼りついたままの状態で保護フィルムの不要部分を裁断できる。したがって、パネルから剥がされた上記保護フィルムの一部のうち裁断後に再度パネルに貼り付けるべき部分の面積は小さくなる。これにより、上記保護フィルム裁断装置は、ユーザに、裁断後に再度パネルに貼り付けるべき部分を簡単且つ綺麗にパネルに貼り付けさせることができるというさらなる効果を奏する。
【００５８】
本発明の第３態様に係る保護フィルム裁断装置（保護フィルム裁断装置１Ａ）は、第１態様または第２態様において、上記裁断台には、上記保護フィルムの上記一部が置かれる設置面側の表面から上記裁断台の下方に通じる開口部（開口部１５２）が形成されている、ことが望ましい。
【００５９】
上記の構成によれば、上記保護フィルム裁断装置では、裁断により上記保護フィルムの必要部分から分離された不要フィルムが開口部を通じて裁断台の下に落ちることがある。したがって、上記保護フィルム裁断装置は、ユーザに保護フィルムを１枚裁断する度に不要フィルムを裁断台から取り除かせることなく、連続して多数の保護フィルムを裁断することができるというさらなる効果を奏する。
【００６０】
本発明の第４態様に係る保護フィルム裁断装置は、第３態様において、上記保護フィルム裁断装置は上記保護フィルムを裁断するロータリーカッター（カッター１４Ａ）を備えており、上記ロータリーカッターにより上記保護フィルムから裁断されつつある上記保護フィルムの不要部分（不要フィルム６０Ａ）を上記開口部に導くガイド部（ガイド１３１）を備えている、ことが望ましい。
【００６１】
上記の構成によれば、上記保護フィルム裁断装置では、裁断により上記保護フィルムの必要部分から分離された不要フィルムが上記ガイド部により開口部に導かれる。裁断により不要フィルムが開口部を通じて多くの場合、裁断台の下に落ちることになる。したがって、上記保護フィルム裁断装置は、ユーザに不要フィルムを裁断台から取り除く手間をあまりかけさせることなく、連続して多数の保護フィルムを裁断することができるというさらなる効果を奏する。
【００６２】
また、上記の構成によれば、多数の保護フィルムを連続して裁断した後には多数の不要フィルムが一箇所（裁断台の下）に集まるため、上記保護フィルム裁断装置は、ユーザに連続裁断後に不要フィルムを効率良く破棄させることができるというさらなる効果を奏する。
【００６３】
本発明の第５態様に係る保護フィルム裁断装置は、第４態様において、上記裁断台の設置面よりも上記裁断台の当該設置面側の表面の一部が低い位置（段差の低い部分１５１）にあり、上記ガイド部のうち上記不要部分が接触するガイド面は、上記ロータリーカッター側では略水平な面になっていて上記開口部側では略垂直な面になっているような湾曲面であり、上記略水平な面は上記低い位置にある、ことが望ましい。
【００６４】
上記の構成により、上記保護フィルム裁断装置は、上記のガイド面の構造により、非常に高い精度で不要フィルムを開口部に導く。したがって、上記保護フィルム裁断装置は、ユーザに不要フィルムを裁断台から取り除く手間をほとんどかけさせることなく、連続して多数の保護フィルムを裁断することができるというさらなる効果を奏する。
【００６５】
本発明の第６態様に係る保護フィルム裁断装置（保護フィルム裁断装置１Ｂ）は、第１態様から第５態様までのいずれかの態様において、上記裁断台（裁断台１５Ｂ）の表面に帯電防止処理が施されているか、または、上記裁断台が帯電防止加工されている、ことが望ましい。
【００６６】
上記の構成によれば、上記保護フィルム裁断装置では、裁断により生じた不要フィルムが帯電により裁断台に張り付いてしまうことが非常に少なくなる。したがって、上記保護フィルム裁断装置は、裁断後に裁断台に留まった不要フィルムを簡単に裁断台から取り除く作業をより容易にするというさらなる効果を奏する。また、第２態様から第５態様までのいずれかの態様の保護フィルム裁断装置であって、さらに、上記裁断台の表面に帯電防止処理が施されているか、または、上記裁断台が帯電防止加工されている保護フィルム裁断装置には、裁断後に、より確実に、開口部を通じて裁断台の下に不要フィルムを落とすことができるというさらなる利点がある。
【００６７】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【００６８】
本発明は、パネルの生産工程で用いる保護フィルム裁断装置に好適に利用することができる。具体的には、パネルの生産工程の途中で、保護フィルムが貼られているパネルの端部に制御用の端子を取り付けるために保護フィルムのうちのパネル端部の上にある一部分を除去する必要があるが、本発明は、この除去のために用いる保護フィルム裁断装置に好適に利用することができる。
【符号の説明】
【００６９】
１、１Ａ、１Ｂ  保護フィルム裁断装置
１０  裁断部
１１  レバー
１２  カッター移動レール
１３  カッター固定部
１４  押し切り式のカッター
１４Ａ  ロータリーカッター
１５、１５Ａ、１５Ｂ  裁断台
３１  置台
３２  置台移動レール
３３  ストッパー
５０  液晶パネル
６０  保護フィルム
６０Ａ  不要フィルム
１３１  ガイド
１５１  段差の低い部分
１５２  開口部
【図１】
2014144509.tif 000003
【図２】
2014144509.tif 000004
【図３】
2014144509.tif 000005
【図４】
2014144509.tif 000006
【図５】
2014144509.tif 000007
【図６】
2014144509.tif 000008
【図７】
2014144509.tif 000009